(57)【要約】      （修正有）【課題】結婚式で使用する書面が収納された状態においても、容易に署名することができる新規な結婚式用品収納ボックスを提供する。【解決手段】上部に開口を有し、内部には結婚式で使用されるリングＲ等の小物を収納する収納スペースが形成されてなる。底板部２ｂとこの底板部２ｂから起立してなる起立板部２ｃ，２ｄ等とを備えたボックス本体２と、このボックス本体２を構成する起立板部２ｃに基端が回動可能に固定されてなるとともに上記開口を開閉する開閉蓋３と、上記ボックス本体２を構成する起立板部等に基端が回動可能に固定されてなり、上記開閉蓋３と上記ボックス本体２との間に主要部を配する。さらに、署名欄が形成された誓約書等の書面の少なくとも該署名欄が露出した状態で該書面を保持する書面保持体４，５と、を備え、上記ボックス本体２には、上記書面保持体４，５が水平となるように該書面保持体４，５の裏面を支持する水平支持部材７を固定する。【選択図】図４
0003158909.tif 000002
【実用新案登録請求の範囲】
【請求項１】
上部に開口を有し、内部には結婚式で使用されるリング等の小物を収納する収納スペースが形成されてなるとともに、底板部とこの底板部から起立してなる起立板部とを備えたボックス本体と、
このボックス本体を構成する起立板部に基端が回動可能に固定されてなるとともに上記開口を開閉する開閉蓋と、
上記ボックス本体を構成する起立板部、又は上記開閉蓋の基端側に基端が回動可能に固定されてなり、上記開閉蓋と上記ボックス本体との間に主要部が位置してなるとともに、署名欄が形成された誓約書等の書面の少なくとも該署名欄が露出した状態で該書面を保持する書面保持体と、を備え、
上記ボックス本体には、上記書面保持体が水平となるように該書面保持体の裏面を支持する水平支持部材が固定されてなることを特徴とする結婚式用収納ボックス。
【請求項２】
前記水平支持部材の上面には、前記ボックス本体に形成された収納スペース内に収納される小物を直接保持し、又は該小物を、シートを間に介して間接的に保持する小物保持部が形成されてなることを特徴とする請求項１記載の結婚式用収納ボックス。
【請求項３】
前記書面保持体は複数配置されてなるとともに、これら各書面保持体は、平板状の基材と、この基材の表面及び／又は裏面に固定され、該基材との間で前記書面を収納する収納スペースを形成してなり、中央には前記書面に形成された署名欄を含む該書面の面積の少なくとも半分以上の面積を露出する開口が形成された枠状部材と、を備えてなることを特徴とする請求項１又は２記載の何れかの結婚式用収納ボックス。
【請求項４】
前記ボックス本体を構成する底板部は方形状に形成され、前記開閉蓋は上記底板部と同じ面積を有してなるとともに、前記書面保持体の内で最もボックス本体に近接した書面保持体の裏面には前記枠状部材が配置されてなり、この開閉蓋と前記１又は複数の書面保持体との先端側を上記ボックス本体から離間した状態を保持する止め具を備えてなることを特徴とする請求項３記載の結婚式用収納ボックス。
【考案の詳細な説明】
【技術分野】
【０００１】
本考案は、結婚式において使用されるリングなどの小物と、誓約書や証明書等の書面を一緒に収納することができる結婚式用収納ボックスに関するものである。
【背景技術】
【０００２】
近年では、様々なスタイルの結婚式が実施されており、従来より行われていた神前式や（キリスト）教会式ばかりではなく、両親その他の親族や親しい友人等の前で結婚を誓う人前式も行われている。そして、上記教会式においては、新郎新婦により結婚誓約書へ署名し、また、上記人前式においても、上記結婚誓約書へ署名したり、場合によっては結婚式の参列者も署名したりする場合もあり、特定のスタイルに基づく結婚式であっても、こうした書面が用意される場合もある。また、近年の結婚式では、各種の演出が行われる場合が多く、こうした演出の下では、上記証明書や誓約書を用いたり、リングやキー（鍵）等の小物も使用されたりすることも想定される。
【０００３】
ところで、こうした各種の書面や小物が結婚式で使用された場合、これを一緒に収納するボックスがあれば、上記小物等が散逸し紛失する危険性も少なく、後日こうしたボックスを開ければ、結婚式で使用したものをほぼ全て確認することができ、結婚式の思い出として長期間保存することも可能となる。
【０００４】
しかしながら、上述した結婚式において使用したリング等の小物を収納する小物用収納スペースと、誓約書や証明書等の書面を収容することができる結婚式用収納ボックスはこれまで知られていない。他方、宝石店で販売される指輪やネックレスの宝飾品を収納するとともに、該宝飾品に係る証明書や鑑定書等の証明書を収納することができる包装ケースが提案されている（特許文献１参照）。すなわち、この包装ケースは、宝飾物品の保証書等の証明書を、展示、使用の邪魔にならないように宝飾物品用包装ケース内に納め、これの紛失を防止し、また、宝飾物品用包装ケースを宝石箱として使用できるようにすることを目的としたものであり、包装ケースと証明書とが合体され、包装ケースはケース本体、上蓋、トレイ、中箱を含んで構成されたものである。
【先行技術文献】
【特許文献】
【０００５】
【特許文献１】特開平１１−１９２１１７号公報
【考案の概要】
【考案が解決しようとする課題】
【０００６】
しかしながら、前記特許文献１に開示された包装ケースでは、証明書（誓約書）等の書面は、上蓋の裏面に配置されたシート保持部により該上蓋の裏面に合わさるように保持される構造であることから、結婚式で使用される書面に対して、上記上蓋に保持された状態で新郎新婦が署名をする場合には、極めて使い勝手が悪い。すなわち、上記特許文献１に開示されたものでは、ケース本体から上蓋を回動して開いた場合、該上蓋は傾斜した状態で保持されざるを得ないことから、こうした状態で新郎新婦が該書面に署名するのは極めて困難であり、また、署名すべき書面が複数存在する場合においては全く署名が不可能となる。
【０００７】
そこで、本考案は、上述した従来の包装ケースが有する課題を解決するために提案されたものであって、結婚式で使用されたリング等の小物と宣誓書や証明書等の書面を収納することが可能な構造を備えているばかりではなく、上記書面が収納された状態においても極めて容易に署名することができる新規な結婚式用収納ボックスを提供することを目的とするものである。
【課題を解決するための手段】
【０００８】
本考案は、上記目的を達成するために提案されたものであって、第１の考案（請求項１記載の考案）は、上部に開口を有し、内部には結婚式で使用されるリング等の小物を収納する収納スペースが形成されてなるとともに、底板部とこの底板部から起立してなる起立板部とを備えたボックス本体と、このボックス本体を構成する起立板部に基端が回動可能に固定されてなるとともに上記開口を開閉する開閉蓋と、上記ボックス本体を構成する起立板部、又は上記開閉蓋の基端側に基端が回動可能に固定されてなり、上記開閉蓋と上記ボックス本体との間に主要部が位置してなるとともに、署名欄が形成された誓約書等の書面の少なくとも該署名欄が露出した状態で該書面を保持する書面保持体と、を備え、上記ボックス本体には、上記書面保持体が水平となるように該書面保持体の裏面を支持する水平支持部材が固定されてなることを特徴とするものである。
【０００９】
この第１の考案に係る結婚式用収納ボックスでは、上記ボックス本体に形成された収納スペース内には、結婚式で使用したリング等の小物を収納することができ、上記書面保持体には、誓約書等の書面を保持することができることから、これを別々に保存するなどして紛失する危険性も少ない。特に、この考案では、上記書面保持体は、署名欄が形成された宣誓書等の書面の少なくとも該署名欄が露出した状態で該書面を保持するものであることから、宣誓書等の書面をこの書面保持体に保持させたまま署名を行うことができる。しかも、この書面保持体を上記ボックス本体に固定された水平支持部材により間接的に又は直接的に支持させると、該書面保持体に保持された書面は水平に支持されることから、新郎新婦等は極めて容易且つ正確に署名を行うことが可能となる。
【００１０】
なお、上記ボックス本体は、少なくとも、上部に開口を有し、内部には結婚式や結婚披露宴で使用されるリング等の小物を収納する収納スペースが形成されてなるとともに、底板部とこの底板部から起立してなる起立板部とを備えたものであれば、その形状は特に限定されるものではなく、例えば、平面視において長方形状であっても多角形形状、或いは円形状や楕円形状であっても良い。また、上記開閉蓋は、少なくとも上記ボックス本体に形成された開口を開閉（開放及び閉塞）できるものであれば、その形状は限定されない。また、上記書面保持体は、デザイン的には上記ボックス本体や開閉蓋の全体形状に対応した形状ないし大きさのものとなるのが通常であるが、必ずしもこうしたボックス本体や開閉蓋の形状や大きさに拘束されるものではなく、例えば、開閉蓋よりも小型とし、その形状は開閉蓋とは異なる形状とされたものであっても良い。また、上記水平支持部材は、少なくとも、書面保持体が水平となるように該書面保持体の裏面を支持するものであれば、その形状や数は問われない。
【００１１】
また、第２の考案（請求項２記載の考案）は、上記第１の考案において、前記水平支持部材の上面には、前記ボックス本体に形成された収納スペース内に収納される小物を直接保持し、又は該小物を、シートを間に介して間接的に保持する小物保持部が形成されてなることを特徴とするものである。
【００１２】
この第２の考案によれば、水平支持部材は、単に書面保持体を水平に支持するばかりではなく、上記小物保持部により、結婚式で使用されたリング等の保持できることから、上記収納スペース内に収納され上記小物保持部に保持された小物は、その位置が容易に変わることなく、また、ボックス本体で衝突することもないことから、該小物が破損したり傷ついたりする危険性もない。
【００１３】
また、第３の考案（請求項３記載の考案）は、上記第１又は第２の考案において、前記書面保持体は複数配置されてなるとともに、これら各書面保持体は、平板状の基材と、この基材の表面及び／又は裏面に固定され、該基材との間で前記書面を収納する収納スペースを形成してなり、中央には前記書面に形成された署名欄を含む該書面の面積の少なくとも半分以上の面積を露出する開口が形成された枠状部材と、を備えてなることを特徴とするものである。
【００１４】
この第３の考案では、書面保持体が複数配置されていることから、例えば、誓約書や証明書等を複数保持させることができ、また、各書面保持体は、基材と上記構成に係る枠状部材との間に形成された収納スペース内に収納することができることから、上記書面をこの収納スペースから出し入れすることが可能となる。そして、上記枠状部材には、書面に形成された署名欄を含む該書面の面積の少なくとも半分以上の面積を露出する開口が形成されていることから、上記誓約書等に新郎新婦が署名をする場合には、上記書面保持体から取り出すことなくそのまま署名することができる。
【００１５】
また、第４の考案（請求項４記載の考案）は、上記第１，２又は第３の考案において、前記ボックス本体を構成する底板部は方形状に形成され、前記開閉蓋は上記底板部と同じ面積を有してなるとともに、前記書面保持体の内で最もボックス本体に近接した書面保持体の裏面には前記枠状部材が配置されてなり、この開閉蓋と前記１又は複数の書面保持体との先端側を上記ボックス本体から離間した状態を保持する止め具を備えてなることを特徴とするものである。
【００１６】
この第４の考案によれば、上記止め具により、開閉蓋と前記１又は複数の書面保持体との先端側を上記ボックス本体から離間した状態を保持させる（ボックス本体と開閉蓋及び書面保持体とを開いた状態）とともに、書面保持体の裏面に配置された枠状部材と基材との間に、結婚式又は結婚披露宴に参加する参加者に宛てた書面を保持させることにより、この結婚式用収納ボックスを所謂ウェルカムボードとして使用することが可能となる。
【考案の効果】
【００１７】
第１の考案（請求項１記載の考案）では、上記ボックス本体に形成された収納スペース内には、結婚式で使用したリング等の小物を収納することができ、上記書面保持体には、誓約書等の書面を保持することができる。特に、この考案では、上記書面保持体は、署名欄が形成された誓約書等の書面の少なくとも該署名欄が露出した状態で該書面を保持するものであることから、誓約書等の書面をこの書面保持体に保持させたまま署名を行うことができる。しかも、この書面保持体を上記ボックス本体に固定された水平支持部材により支持させると、該書面保持体に保持された書面は水平に支持されることから、新郎新婦等は極めて容易且つ正確に署名を行うことが可能となる。
【００１８】
また、第２の考案（請求項２記載の考案）によれば、水平支持部材は、単に書面保持体を水平に支持するばかりではなく、上記小物保持部により、結婚式で使用されたリング等を保持できることから、上記収納スペース内に収納され上記小物保持部に保持された小物は、その位置が容易に変わることなく、また、ボックス本体で衝突することもないことから、該小物が破損したり傷ついたりする危険性もない。
【００１９】
また、第３の考案（請求項３記載の考案）考案では、書面保持体が複数配置されていることから、例えば、誓約書や証明書等を複数保持させることができ、また、各書面保持体は、基材と上記構成に係る枠状部材との間に形成された収納スペース内に収納することができることから、上記書面をこの収納スペースから出し入れすることが可能となる。そして、上記枠状部材には、書面に形成された署名欄を含む該書面の面積の少なくとも半分以上の面積を露出する開口が形成されていることから、上記誓約書等に新郎新婦が署名をする場合には、上記書面保持体から取り出すことなくそのまま署名することができる。
【００２０】
また、第４の考案（請求項４記載の考案）によれば、上記止め具により、開閉蓋と前記１又は複数の書面保持体との先端側を上記ボックス本体から離間した状態を保持させる（ボックス本体と開閉蓋及び書面保持体とを開いた状態）とともに、書面保持体の裏面に配置された枠状部材と基材との間に、結婚式又は結婚披露宴に参加する参加者に向けた書面を保持させることにより、この結婚式用収納ボックスを所謂ウェルカムボードとして使用することが可能となる。
【図面の簡単な説明】
【００２１】
【図１】実施の形態に係る結婚式用収納ボックスを示す斜視図である。
【図２】内側収納体の外観及び構造を一部破断して示す斜視図である。
【図３】ボックス本体内にリングやキーその他の小物を収納した状態を示す平面図である。
【図４】図１に示す開閉蓋を閉塞した状態を示す断面図である。
【図５】第１の書面保持体に結婚証明書を収納した状態を示す平面図である。
【図６】図１に示す結婚式用収納ボックスをウェルカムボードとして利用した状態を斜視図である。
【考案を実施するための形態】
【００２２】
以下、本考案を実施するための実施の形態に係る結婚式用収納ボックスについて、図面を参照しながら詳細に説明する。
【００２３】
この実施の形態に係る結婚式用収納ボックス１は、結婚式で使用された証明書や宣誓書等の書面やリング又は指輪等を収納するものであり、図１に示すように、全体の形状は例えば百科事典や辞書のような厚手の本の外観を呈したものである。そして、この結婚式用収納ボックス１は、上記リングや指輪等を内部に収納するボックス本体２と、このボックス本体２に形成された後述する開口を開閉する開閉蓋３と、上記書面を収納する複数（第１及び第２）の書面保持体４，５とを備えている。
【００２４】
上記ボックス本体２は、全体形状がほぼ直方体状に成形されてなるものであり、上部に開口２ａを有し、内部は収納スペースとされてなるとともに、長方形状に成形された底板部２ｂと、この底板部２ｂの左側長辺から起立してなる左側起立板部２ｃと、上記底板部２ｂの右側長辺よりもやや上記左側長辺側から起立してなる右側起立板部２ｄと、上記底板部２ｂの上側短辺よりもやや下側短辺側から起立してなる上側起立板部２ｅと、上記底板部２ｂの下側短辺よりもやや上側短辺側から起立してなる下側起立板部２ｆとから構成されている。なお、上記左側起立板部２ｃ、右側起立板部２ｄ、上側起立板部２ｅ、下側起立板部２ｆは、本考案を構成する起立板部であり、それぞれの上面は面一とされている。また、上記右側起立板部２ｄ、上側起立板部２ｅ、下側起立板部２ｆが上記底板部２ｂの左側長辺や上側短辺若しくは下側短辺よりも位置をずらした位置から起立しているのは、この結婚式用収納ボックス１が上述したように、厚手の本に模した外観となるためである。そして、上記左側起立板部２ｃは、中央が外側に膨出するよう円弧状に成形され、上記右側起立板部２ｄは、中央が最も内側に凹むよう円弧状に成形されている。したがって、上記上側起立板部２ｅと下側起立板部２ｆの左側端部との形状は、それぞれ上記左側起立板部２ｃの形状に対応した形状とされ、右側端部の形状はそれぞれ上記右側起立板部２ｄの形状に対応した形状とされており、それぞれが接合されている。また、上記左側起立板部２ｃの長さは、上記底板部２ｄの長さと同じ長さとされている。そしてさらに、図４に示すように、上記ボックス本体２を構成する上記底板部２ｂの上面の左側からその下面全体、さらに上記左側起立板部２ｃの外側面全体及び後述する開閉蓋３の外側面から内側面の一部までには、紙製の表皮材１ａが貼付されている（図１には図示されていない）。
【００２５】
そして、このように成形された上記ボックス本体２の内部には、図２に示すように、内側収納体６が配置されている。この内側収納体６は、内側底板部６ａと、この内側底板部６ａの左側長辺から起立してなる左側起立板部６ｂと、上記内側底板部６ａの右側長辺から起立してなる右側起立板部６ｃと、上記内側底板部６ａの上側短辺から起立してなる上側起立板部６ｄと、上記内側底板部６ａの下側短辺から起立してなる下側起立板部６ｅとから構成されている。なお、上記内側底板部６ａ、左側起立板部６ｂ、右側起立板部６ｃ、上側起立板部６ｄ、下側起立板部６ｅは何れも紙を素材としたものである。そして、上記内側底板部６ａの上面には、第１の水平支持部材７と、第２の水平支持部材８が固定されている。上記第１及び第２の水平支持部材７，８は、何れも紙を素材とし内部が空洞とされた直方体であり、天板部７ａ，８ａ，正面板部７ｂ，８ｂ、背面板部７ｃ，８ｃ、左側面板部７ｄ，８ｄ、右側面板部７ｅ，８ｅ、底面板部７ｆ，８ｆとから構成されている。なお、これら第１及び第２の水平支持部材７，８の高さは、上記ボックス本体２を構成する右側起立板部２ｄ，上側起立板部２ｅ，下側起立板部２ｆの高さよりもやや短い高さであって、後述する第１及び第２の書面保持体４，５（又は第２の書面支持体５のみ）により上記ボックス本体２の開口２ａを閉塞することにより、該第２の書面支持体５の下面に（後述する装飾布地を間に介して）該第１及び第２の水平支持部材７，８の天板部７ａ，８ａが当接し、該第１及び第２の書面保持体４，５（又は第２の書面支持体５のみ）が水平を維持する高さとされている。
【００２６】
そして、上記第１の水平支持部材７の天板部７ａには、図３に示すリングＲの形状に対応した曲率からなる円弧状の（第１及び第２の）切り抜き部７ｇ，７ｈが左右両側に形成され、また、上記正面板部７ｂの上端側には、それぞれ上記第１及び第２の切り抜き部７ｇ，７ｈと連続する第３及び第４の切り抜き部７ｉ，７ｊが形成され、上記背面板部７ｄの上端側には、上記第１及び第２の切り抜き部７ｇ，７ｈに連続する第５及び第６の切り抜き部７ｋ，７ｌが形成されている。これら第１ないし第６の切り抜き部７ｇ・・・７ｌは、本考案を構成する小物保持部であって、後述するリングＲが以下に説明する装飾用布地を介して保持される部位である。一方、上記第２の水平支持部材８の天板部８ａには、直線状となされた第１の切り抜き部８ｇが形成され、上記正面板部８ｂの上端側には、上記第１の切り抜き部８ｇに連続した第２の切り抜き部８ｈが形成され、上記背面板部８ｃの上端側には、上記第１の切り抜き部８ｇに連続した第３の切り抜き部８ｉが形成されている。これら第１ないし第３の切り抜き部８ｈ・・・８ｉは、本考案を構成する小物保持部であって、後述するキー（鍵）Ｋの軸部が以下に説明する装飾用布地を介して保持される部位である。
【００２７】
そして、このように構成された上記内側収納体６には、図２又は図４に示すように、装飾布地１０が上方から被覆されている。この装飾布地１０は、上記内側収納体６に固定された上記第１及び第２の水平支持部材７，８を上方から覆ってなるとともに、端部は、この内側収納体６を構成する左側起立板部６ｂ、右側起立板部６ｃ、上側起立板部６ｄ、下側起立板部６ｅの内側面からこれら左側起立板部６ｂ、右側起立板部６ｃ、上側起立板部６ｄ、下側起立板部６ｅの外側面の一部に接着材を介して接着されている。したがって、このように構成された上記内側収納体６が収納された上記ボックス本体２内は、図３に示すように、上記第１の水平支持部材７が配置された部位や第２の水平支持部材８が配置された部位は、上記底板部２ｂの上面よりも上方に膨出し、それ以外の部位は窪んだ状態とされる。そして、上記第１の水平支持部材７には、間に上記装飾布地１０を間に介してリングＲを上記第１の切り抜き部８ｇ，８ｈに嵌め込んで保持させることができ（図４参照）、また、上記第２の水平保持部材８には、間に上記装飾布地１０を間に介してキー（鍵）Ｋの軸を嵌め込んで保持させることができ、これら第１及び第２の水平保持部材７，８が配置された部位以外には造花Ｆ，メッセージカードＣその他図示しない小物を収納することができる。
【００２８】
また、上記開閉蓋３は、図１に示すように、上記ボックス本体２に形成された開口２ａを閉塞・開放するものであり、外側は上記表皮材１ａにより被覆されている（図４参照）。また、この開閉蓋３は、上記ボックス本体２を構成する底板部２ｂとほぼ同じ面積からなる平板であり、基端は上記表皮材１ａにより上記左側板部２ｃに接続されてなるとともに、内側は図示しない布地により接続されている。したがって、この開閉蓋３は、上記表皮材１ａと図示しない布地（可撓性シート体）が撓むことにより、蝶番と同様に基端で開閉できるよう構成されている。なお、上記開閉蓋３の先端側裏面には、図示しない一方の磁石が埋設され、上記ボックス本体２を構成する右側板部２ｄの上面には図示しない他方の磁石が埋設されている。したがって、図４に示すように、上記開閉蓋３により上記ボックス本体２に形成された開口２ａを閉塞すると、上記図示しない一方の磁石と他方の磁石とが互いに磁着し、該開閉蓋３の閉塞状態が維持される。
【００２９】
そして、上記開閉蓋３と上記ボックス本体２との間には、図１及び図４に示すように、第１の書面保持体４と第２の書面保持体５とが配置されている。これら第１及び第２の書面保持体４，５は、何れも本考案を構成する書面保持体である。そして、これら第１及び第２の書面保持体４，５は、それぞれ厚紙からなるものであり、図１又は図４に示すように、長方形状に成形された基材１４，１５と、この基材１４，１５の表面に貼付された正面側枠部材１６，１７と、上記基材１４，１５の裏面に貼付された裏面側枠部材１８，１９とから構成されている。上記正面側枠部材１６，１７も裏面側枠部材１８，１９も同一の形状からなるものであり、それぞれ中央には、長方形状の開口１６ａ，１７ａ，１９ａ（第２の書面保持体５を構成する裏面側枠部材１９は、図６参照。第１の書面保持体４を構成する裏面側枠部材１８に形成された開口は図示しない）が形成されており、これらの開口１６ａ，１７ａ，１９ａは、後述する証明書や宣誓書、或いはこの結婚式用収納ボックス１をウェルカムボードとして使用する場合には結婚式や結婚披露宴の参加者に宛てたメッセージカードのサイズ（外形）よりもやや小さな形状とされている。そして、こうした開口１６ａ，１７ａ，１９ａが形成された上記正面側枠部材１６，１７と裏面側枠部材１８，１９とは、上記基材１４，１５に対して、左右両側と下側が貼付され上側は貼付されていない。したがって、上記証明書や宣誓書等は、基材１４，１５の上端側から該基材１４，１５と正面側枠部材１６，１７又は裏面側枠部材１８，１９との間に挿入し保持させたり、保持された証明書等を取り出したりすることができ、保持された証明書や宣誓書等に、新郎新婦が署名を行う署名欄が形成されている場合には、上記開口１６ａ，１７ａ，１９ａを介して外部に露出される。また、上記第１及び第２の書面保持体４，５は、図４又は図６に示すように、上記ボックス本体２を構成する上側起立板部２ｅの内側面から下側起立板部２ｆの内側面前までの距離よりも短い長さを有し、それぞれの幅は、左側起立板部２ｃの内側面から右側板部２ｄの上端側内側面までの距離よりも若干短いものとされている（図４参照）。そして、これら第１及び第２の書面保持体４，５の基端（左端）は、図４に示すように、それぞれ布地（可撓性シート体）２１，２２を介して左側起立板部２ｃの内側面に固定されている。
【００３０】
したがって、上記第１及び第２の書面保持体４，５は、上記布地２１，２２が撓むことにより、上記ボックス本体２の開口２ａを閉塞し又は開放するよう開閉することができる。そして、図５に示すように、上記開閉蓋３を開放し、上記第２の書面保持体５と第１の書面保持体４とにより上記ボックス本体２ａを閉塞した場合であって、該第１の書面保持体４を構成する上記正面側枠部材１６と基材１４との間に、結婚証明書Ｓを収納保持した場合には、新郎新婦が署名する署名欄Ｓ１，Ｓ２が外部に露出した状態となる。また、この第１の書面保持体４の下側に位置する第２の書面保持体５の裏面が上記第１の水平保持部材７及び第２の水平保持部材８を構成する天板部７ａ，８ａに前記装飾布地１０を間に介して水平に支持されることから、該第１の書面保持体４も水平に支持される。したがって、新郎新婦は、上記結婚証明書Ｓの署名欄Ｓ１，Ｓ２に対して、上記第１の書面保持体４から取り出すことなく、また安定した状態で署名をすることができる。
【００３１】
このように、本考案の実施の形態に係る結婚式用収納ボックス１によれば、結婚式で使用される証明書や宣誓書等を上記第１の書面保持体４や第２の書面保持体５に保持して収納することができるとともに、図３に示すように、リングＲやキー（鍵）Ｋは勿論、その他造花ＦやメッセージカードＣ等の小物を収納することができる。したがって、結婚式での思い出をそれぞれが別個に保存されることにより、それぞれが散逸し紛失してしまう危険性を防止することができる。特に、この実施の形態に係る結婚式用収納ボックス１によれば、上記第１及び第２の水平保持部材７，８が、上記ボックス本体２内に配置されていることから、上述したように、新郎新婦は証明書Ｓ等を第１又は第２の書面保持体４，５から取り出す必要がなく、しかも水平な状態（安定した状態）で署名することができ、さらには、上記第１及び第２の水平保持部材７，８は、リングＲやキー（鍵）Ｋを保持するものであることから、これらリングＲやキー（鍵）Ｋが、真鍮や鉄等の金属で成形され重量を有している場合であっても、ボックス本体２内で移動することもなく、これらの移動により他の小物が破損してしまう危険性も防止できる。また、上述したように、上記開閉蓋３とボックス本体２を構成する右側起立板部２ｄにはそれぞれ図示しない磁石が配置され、互いの磁石の磁着により、上記ボックス本体２に対する開閉蓋３の閉塞状態を保持できることから、不用意に開閉蓋３が開放され内部に収納された上記小物がボックス本体２から落下する危険性も防止できる。
【００３２】
そしてさらに、この結婚式用収納ボックス１によれば、図６に示すように、上記開閉蓋３と第１及び第２の書面保持体４，５を開放するとともに、該開閉蓋３と第１及び第２の書面保持体４，５を、造花Ｆが固定されたクリップ２５を用いて一体的に固定し、上記第２の書面保持体５構成する基材（符号は省略する。）と裏面側枠部材１９との間に、結婚式や披露宴の参加者に宛てたメッセージを記載したメッセージ書面Ｍを収納し、これ（結婚式用収納ボックス１）を図示しないテーブル等に起立させることにより、所謂メッセージボードとして利用することもできる。なお、上記造花Ｆが固定されたクリップ２５も、使用しない場合には、上記ボックス本体２内に収納しておけば良い。なお、上記クリップ２５は、本考案を構成する止め具である。
【００３３】
なお、上記実施の形態に係る結婚式用収納ボックス１では、本考案を構成する書面保持体を複数（第１及び第２の書面保持体４，５を）配置したものを図示して説明したが、この書面保持体は１つのみ配置されてなるものであっても良いし、３つ以上配置されてなるものであっても良い。また、上記結婚式用収納ボックス１では、２つの（第１及び第２の）水平保持部材７，８をボックス本体２内に配置したものを図示して説明したが、本考案を構成する水平保持部材の数は特に限定されず、単数でも複数であっても良い。さらに、上記結婚式用収納ボックス１では、全体形状が直方体状に成形されたものを図示して説明したが、本考案ではこうした形状に限定されるものではない。また、上記開閉蓋３の表面（外側面）は、各種の文字やデザインを施すことも可能である。
【符号の説明】
【００３４】
１  結婚式用収納ボックス
２  ボックス本体
２ａ  開口
２ｂ  底板部
２ｃ  左側起立板部
２ｄ  右側起立板部
２ｅ  上側起立板部
２ｆ  下側起立板部
３  開閉蓋
４  第１の書面保持体
５  第２の書面保持体
７  第１の水平支持部材
７ａ  天板部
７ｇ  第１の切り抜き部
７ｈ  第２の切り抜き部
７ｋ  第５の切り抜き部
７ｌ  第６の切り抜き部
８  第２の水平支持部材
８ｇ  第１の切り抜き部
８ｈ  第２の切り抜き部
８ｉ  第３の切り抜き部
１４，１５  基材
１６，１７  正面側枠部材
１８，１９  裏面側枠部材
２５  クリップ
Ｒ  リング
Ｋ  キー（鍵）
Ｓ  結婚証明書
Ｓ１，Ｓ２  署名欄
【図１】
0003158909.tif 000003
【図２】
0003158909.tif 000004
【図３】
0003158909.tif 000005
【図４】
0003158909.tif 000006
【図５】
0003158909.tif 000007
【図６】
0003158909.tif 000008